(57)【要約】無線通信装置（７００）は、  ・ワイヤレスローカルエリアネットワークに含まれる第１のアクセスネットワークを介した移動体ネットワークへのアクセスを可能とする、回線交換サービスのための第１のアクセス手段、及び  ・第１のアクセスネットワークを介した移動体ネットワークへのアクセスを可能とする、パケット交換サービスのための第２のアクセス手段（７０）からなる。  本発明によると、第１のアクセス手段が「ＧＡＮ」技術に準拠し、第２のアクセス手段が「３ＧＰＰ−ＷＬＡＮインターワーキング」技術に準拠し、両技術が３ＧＰＰ標準において規定されている。
2009525651.tif 000002
【特許請求の範囲】
【請求項１】
無線通信装置（７００）であって、
・ワイヤレスローカルエリアネットワークに含まれる第１のアクセスネットワークを介した移動体ネットワークへのアクセスを可能とする、回線交換サービスのための第１のアクセス手段、及び
・前記第１のアクセスネットワークを介した前記移動体ネットワークへのアクセスを可能とする、パケット交換サービスのための第２のアクセス手段（７０）
からなり、
前記第１のアクセス手段が「ＧＡＮ」技術に準拠し、前記第２のアクセス手段が「３ＧＰＰ−ＷＬＡＮインターワーキング」技術に準拠し、該両技術が３ＧＰＰ標準において規定されていることを特徴とする装置。
【請求項２】
請求項１記載の装置（７００）であって、さらに、
・前記移動体ネットワークに含まれる第２のアクセスネットワークを介した前記移動体ネットワークへのアクセスを可能とする、前記回線交換サービスのための第３のアクセス手段、及び  
・前記移動体ネットワークに含まれる前記第２のアクセスネットワークを介した前記移動体ネットワークへのアクセスを可能とする、前記パケット交換サービスのための第４のアクセス手段（８０）
からなり、
前記第３のアクセス手段が「ＧＡＮ」技術に準拠し、前記第４のアクセス手段が「３ＧＰＰ−ＷＬＡＮインターワーキング」技術に準拠していることを特徴とする装置。
【請求項３】
請求項２記載の装置（７００）であって、さらに、
ＰＤＰストリーム（Ｆ１〜Ｆ４）を前記第２のアクセス手段（７０）又は前記第４のアクセス手段（８０）に割り当てるための、前記パケット交換サービスのための分配手段（９０）からなることを特徴とする装置。
【請求項４】
請求項１から３いずれか一項に記載の装置（７００）において、前記第２のアクセス手段（７０）が、
・各ＰＤＰストリーム（Ｆ１〜Ｆ４）に対してＩＰｓｅｃトンネル（Ｔ１〜Ｔ４）の確立を管理し、
・各ＰＤＰストリームをＩＰｓｅｃトンネルにマッチングさせる
のための制御手段（７１）からなることを特徴とする装置。
【請求項５】
アクセスネットワークコントローラ（９００）であって、無線通信装置（７００）が、
・回線交換サービスのために、ワイヤレスローカルエリアネットワークに含まれる第１のアクセスネットワークを介して移動ネットワークにアクセスすること、
・パケット交換サービスのために、前記第１のアクセスネットワークを介して前記移動体ネットワークにアクセスすること
を可能とし、
前記アクセスネットワークコントローラ（９００）が、
・「ＧＡＮ」技術に準拠するコントローラＧＡＮＣの回線交換サービスに関する部分に対応するユニットＧＡＮＣ−ＣＳ、
・該パケット交換サービスのためのストリームを管理するための、３ＧＰＰ標準に規定される「３ＧＰＰ−ＷＬＡＮインターワーキング」技術に準拠するゲートウェイＴＴＧ（９２０）、及び
・各ストリームを前記ユニットＧＡＮＣ−ＣＳ又は前記ゲートウェイＴＴＧに割り当てるための分配手段（９４０）
からなることを特徴とするアクセスネットワークコントローラ。
【請求項６】
請求項５記載のアクセスネットワークコントローラ（９００）であって、さらに、前記ユニットＧＡＮＣ−ＣＳ（９１０）及び前記ゲートウェイＴＴＧ（９２０）のアップストリーム側であって該無線通信装置（７００）と同じ側に配置される単一のセキュリティゲートウェイＳＥＧＷ（９３０）からなることを特徴とするアクセスネットワークコントローラ。
【請求項７】
請求項６記載のアクセスネットワークコントローラ（９００）において、前記セキュリティゲートウェイＳＥＧＷ（９３０）が前記分配手段（９４０）を備えたことを特徴とするアクセスネットワークコントローラ。
【発明の詳細な説明】
【技術分野】
【０００１】
本発明の技術分野はネットワーク間のインターワーキングの分野に関し、より厳密には、（２Ｇ／３Ｇ）ＷＬＡＮインターワーキング、即ち、少なくとも１つのワイヤレスローカルエリアネットワーク（ＷＬＡＮ）と１つの２Ｇ／３Ｇ移動体ネットワークの間のインターワーキングに関するものである。
【０００２】
２Ｇ／３Ｇ移動体ネットワークとは、例えばＧＳＭ／ＧＰＲＳ（Global System for Mobile Communication / General Packet Radio Service）ネットワーク、ＵＭＴＳ（Universal Mobile Telecommunication System）、ＣＤＭＡ２０００（Code Division Multimedia Access 2000）ネットワーク等のような第２及び第３世代移動体ネットワークを意味する。
【０００３】
そのような（２Ｇ／３Ｇ）ＷＬＡＮインターワーキングは、ＷＬＡＮユーザが回線交換（ＣＳ）サービス及びパケット交換（ＰＳ）サービスにＩＰワイヤレスアクセスネットワークを介してアクセスすることを可能とするため、ワイヤレスＩＰ（Internet Protocol）アクセス技術（例えば、ＷｉＦｉ又はＷｉＭＡＸ標準に準拠するもの）が２Ｇ／３Ｇ移動体ネットワークコアのインフラで動作することを可能とすることを目的とするものである。
【０００４】
解決しようとする技術課題は、回線交換サービス及びパケット交換サービスへのアクセスの管理である。正確には、ＷＬＡＮユーザが、無線通信端末（以下、無線通信装置ともいう）｛例えば、移動体電話、ＰＤＡ（パーソナル・デジタル・アシスタント）又は可搬型コンピュータ｝を用いて、一方で高ビットレートパケット交換サービス｛例えば異種ワイヤレスアクセスによるＩＭＳ（ＩＰマルチメディア・サブシステム）のマルチメディアサービスのタイプ｝にアクセスし、他方で回線交換サービス（例えば音声トランスポートサービス）にアクセスできるのかということである。
【背景技術】
【０００５】
３ＧＰＰ（第３世代パートナーシッププロジェクト）標準は３Ｇ移動体ネットワークにＩＰアクセスネットワークを介したアクセスのための複数の技術を規定する。
【０００６】
従来技術の欠点を、「ＧＡＮ」（Generic Access Network）アクセス技術（一般に「ＵＭＡ」（Unlicensed Mobile Access）といわれる）と「３ＧＰＰ−ＷＬＡＮインターワーキング」（以下、「Ｉ−ＷＬＡＮ」という）の場合を挙げて以下に説明する。
【０００７】
図１−３を参照してネットワーク１００及び「ＧＡＮ」技術に準拠した無線通信端末２００（以下、移動局「ＭＳ」（Mobile Station）ともいう）のアーキテクチャを説明する。
【０００８】
図１に示すように、「ＧＡＮ」技術によって、移動局（ＭＳ）２００は、
コアネットワークＣＮ（２Ｇ／３Ｇコアネットワーク）によって提供される１以上の３ＧＰＰ回線交換サービス（３ＧＰＰ  ＣＳサービス）に、
・ＧＥＲＡＮ／ＵＴＲＡＮタイプ（GSM Edge Radio Access Network / UMTS Terrestrial Radio Access Network）に属する、無線ネットワークコントローラＢＣＳ／ＲＮＣに接続されたコアネットワークコントローラＭＳＣ（Mobile Switching Center）を介してアクセスすることが可能となる。
図２に示すように、移動局（ＭＳ）２００はＵＴＲＡＮネットワークを介した回線交換サービスへのアクセス手段１０を含む（これらのアクセス手段の詳細な説明については３ＧＰＰ標準化文書TS43.318の段落6.1.1.2参照）。図１を参照すると、移動局（ＭＳ）２００が基地局ＢＴＳ／ＮｏｄｅＢ（ＢＴＳ：Base Transceiver Station）にインターフェイスＵｍ／Ｕｕを介して接続される。基地局ＢＴＳ／ＮｏｄｅＢは無線ネットワークコントローラＢＳＣ／ＲＮＣにインターフェイスＡｂｉｓ／Ｉｕｂを介して接続される。無線ネットワークコントローラＢＣＳ／ＲＮＣはコアネットワークコントローラＭＳＣにインターフェイスＡ／Ｉｕ−Ｃｓを介して接続される。
又は、
・ＩＰタイプアクセスネットワーク（例えばインターネットタイプ）に属する、ジェネリックアクセスネットワークコントローラＧＡＮＣ（GAN Controller）に接続されたコアネットワークコントローラＭＳＣを介してアクセスすることが可能となる。
図２に示すように、移動局（ＭＳ）２００はＩＰタイプアクセスネットワークを介した回線交換サービスへのアクセス手段２０を含む（これらのアクセス手段の詳細な説明については３ＧＰＰ標準化文書TS43.318の段落6.1.1.2参照）。図１を参照すると、移動局（ＭＳ）２００は、無線リレー３００を介して、アクセスネットワークコントローラＧＡＮＣにインターフェイスＵｐを介して通信する。アクセスネットワークコントローラＧＡＮＣはコアネットワークコントローラＭＳＣにインターフェイスＡを介して接続される。
【０００９】
「ＧＡＮ」技術によって、移動局（ＭＳ）２００は、
コアネットワークＣＮによって提供される１以上の３ＧＰＰパケット交換サービス（３ＧＰＰ  ＰＳサービス）に、
・アクセスネットワークＧＥＲＡＮ／ＵＴＲＡＮに属する、無線ネットワークコントローラＢＳＣ／ＲＮＣに接続されたノードＳＧＳＮ（Service GPRS Support Node）を介してアクセスすることが可能となる。
図３に示すように、移動局（ＭＳ）２００はネットワークＧＥＲＡＮ／ＵＴＲＡＮを介したパケット交換サービスへのアクセス手段３０を含む（これらのアクセス手段の詳細な説明については３ＧＰＰ標準化文書TS43.318の段落6.2.2参照）。図１を参照すると、移動局（ＭＳ）２００は基地局ＢＴＳ／ＮｏｄｅＢにインターフェイスＵｍ／Ｕｕを介して接続される。基地局ＢＴＳ／ＮｏｄｅＢは無線ネットワークコントローラＢＳＣ／ＲＮＣにインターフェイスＡｂｉｓ／Ｉｕｂを介して接続される。無線ネットワークコントローラＢＣＳ／ＲＮＣはノードＳＧＳＮにインターフェイスＧｂ／Ｉｕ−Ｐｓを介して接続される。
又は、
・ＩＰタイプアクセスネットワークに属する、アクセスネットワークコントローラＧＡＮＣに接続されたノードＳＧＳＮを介してアクセスすることが可能となる。
図３に示すように、移動局（ＭＳ）２００はＩＰタイプアクセスネットワークを介したパケット交換サービスへのアクセス手段４０を含む（これらのアクセス手段の詳細な説明については３ＧＰＰ標準化文書TS43.318の段落6.2.2参照）。図１を参照すると、移動局（ＭＳ）２００は、無線リレー３００を介して、アクセスネットワークコントローラＧＡＮＣにインターフェイスＵｐを介して通信する。アクセスネットワークコントローラＧＡＮＣはノードＳＧＳＮにインターフェイスＧｂを介して接続される。
【００１０】
「ＧＡＮ」技術の利点は、サービスが音声及び低ビットレートのデータを搬送する際に、それによってサービスの連続性がＷＬＡＮと２Ｇ／３Ｇ無線アクセスネットワークにわたって維持されることである。
【００１１】
しかし、サービスが高ビットレートのデータを搬送するにはいくつかの問題点がある。実際に、この技術の有効性はノードＳＧＳＮ（アクセスネットワークＧＡＮＣにインターフェイスＧｂを介して接続されている）が、進行中のリアルタイム（音声タイプ）の呼をＷＬＡＮネットワークから２Ｇ／３Ｇネットワークに、呼を中断せずに転送（ハンドオーバー）できないことから制限を受ける。
【００１２】
図４及び５を参照して、「Ｉ−ＷＬＡＮ」技術に準拠するネットワーク４００及び移動局５００のアーキテクチャを説明する。
【００１３】
図４に示すように、「Ｉ−ＷＬＡＮ」技術によって、移動局（ＭＳ）５００はコアネットワークＣＮ（２Ｇ／３Ｇコアネットワーク）によって提供される１以上の３ＧＰＰパケット交換サービス（３ＧＰＰ  ＰＳサービス）に、
・アクセスネットワークＧＥＲＡＮ／ＵＴＲＡＮに属する、無線ネットワークコントローラＢＳＣ／ＲＮＣに接続されたノードＳＧＳＮ（Service GPRS Support Node）を介してアクセスすることが可能となる。
図５に示すように、移動局（ＭＳ）５００はネットワークＧＥＲＡＮ／ＵＴＲＡＮを介したパケット交換サービスへのアクセス手段５０を含む（３ＧＰＰ標準化文書TS23.060参照）。図４を参照すると、移動局（ＭＳ）５００は基地局ＢＴＳ／ＮｏｄｅＢにインターフェイスＵｍ／Ｕｕを介して接続される。基地局ＢＴＳ／ＮｏｄｅＢは無線ネットワークコントローラＢＳＣ／ＲＮＣにインターフェイスＡｂｉｓ／Ｉｕｂを介して接続される。無線ネットワークコントローラＢＣＳ／ＲＮＣはノードＳＧＳＮにインターフェイスＧｂ／Ｉｕ−Ｐｓを介して接続される。
又は、
・ゲートウェイＴＴＧ（Tunnel Termination Gateway）に接続されたノードＧＧＳＮ（Gateway GPRS Support Node）を介してアクセスすることが可能となる。なお、ノードＧＧＳＮ及びゲートウェイＴＴＧはともにコアネットワークＣＮに属する。
図５に示すように、移動局（ＭＳ）５００はコアネットワークＣＮのゲートウェイＴＴＧを介したパケット交換サービスへのアクセス手段６０を含む（これらのアクセス手段の詳細な説明については３ＧＰＰ標準化文書TS23.234の段落6.2.1参照）。図４を参照すると、移動局（ＭＳ）５００は、無線リレー６００を介在させて、ゲートウェイＴＴＧとインターフェイＷｕを介して通信する。ゲートウェイＴＴＧはノードＧＧＳＮにインターフェイスＧｎ´／Ｇｎを介して接続される。
【００１４】
「Ｉ−ＷＬＡＮ」技術は高ビットレートのパケット交換サービスへのアクセスのメカニズムにおいて大きな前進を見せてきたが、この技術はＷＬＡＮユーザが回線交換サービスにアクセスすることを可能とするわけではなく、ＷＬＡＮと２Ｇ／３Ｇ無線アクセスネットワークにわたるサービスの連続性を維持するわけでもないといったディメリットを有する。
【００１５】
従って、サービスアクセスのタイプにかかわらず、サービスの連続性を保ちつつ、特にＷＬＡＮのユーザがＩＰアクセスネットワークから２Ｇ／３Ｇ移動体ネットワークへ及びその逆に移動することを可能とするために、ネットワーク側だけでなく移動局側においても、回線交換サービス及びパケット交換サービスへアクセスするためアーキテクチャを最適化する必要がある。
【発明の開示】
【発明が解決しようとする課題】
【００１６】
本発明は、とりわけ従来技術のこれらの問題を解消することを課題とする。
より正確には、少なくとも１つの実施例として、本発明の１以上の課題は、とりわけアクセスのスピードの観点において、即ち、移動局と３Ｇコアネットワークの間で高ビットレートでのデータ交換を可能とする使い易く効果的な３ＧＰＰサービスへのアクセス技術を提供することである。
【００１７】
本発明の他の課題は、少なくとも１つの実施例として、３ＧＰＰパケット交換サービスに特に良好に適合する上記アクセス技術を提供することである。
【００１８】
本発明の他の課題は、少なくとも１つの実施例として、３ＧＰＰ回線交換サービスに特に良好に適合する上記アクセス技術を提供することである。
【００１９】
本発明のさらなる課題は、一実施例として、全ての既存の２Ｇ／３Ｇネットワークに特に良好に適合する上記アクセス技術を提供することである。
【００２０】
本発明の補足的な課題は、少なくとも１つの実施例として、費用がかからず、現行の移動局及びアクセスネットワークに複雑な修正をもたらさない上記アクセス技術を提供することである。
【課題を解決するための手段】
【００２１】
これらの課題は、以降に明らかとなる他の課題とともに、
・ワイヤレスローカルエリアネットワークに含まれる第１のアクセスネットワークを介した移動体ネットワークへのアクセスを可能とする、回線交換サービスのための第１のアクセス手段、
・上記第１のアクセスネットワークを介した上記移動体ネットワークへのアクセスを可能とする、パケット交換サービスのための第２のアクセス手段
を備えた無線通信装置により解決される。
【００２２】
本発明によると、第１のアクセス手段は「ＧＡＮ」技術に準拠し、第２のアクセス手段は「３ＧＰＰ−ＷＬＡＮインターワーキング」技術に準拠している。これらの技術は３ＧＰＰ標準において規定されている。
【００２３】
従って、本発明は移動局（無線通信装置ともいう）から２Ｇ／３Ｇコアネットワークの３ＧＰＰサービスへのアクセスに対する完全に新規かつ進歩的なアプローチに基づくものである。現に、本発明は同じ移動局において「ＧＡＮ」（即ち、「ＵＭＡ−ＣＳ」）技術及び「Ｉ−ＷＬＡＮ」（即ち、「３ＧＰＰ−ＷＬＡＮインターワーキング」）技術によるアクセス手段を実装し、それぞれ回線交換サービス及びパケット交換サービスへのアクセスを可能とすることを提唱するものである。
【００２４】
言い換えると、本発明は、「ＧＡＮ」技術に準拠する回線交換サービスのためのサービスの連続性の管理を、「Ｉ−ＷＬＡＮ」技術に準拠する高ビットレートパケット交換サービスへのアクセスの管理に組み合わせるハイブリッド技術を提唱するものである。
【００２５】
本発明はまた、（標準「ＧＡＮ」技術のインターフェイスＡ／Ｇｂの代わりに）タイプＩｕ−ＣＳ／Ｉｕ−ＰＳのインターフェイスを用いて、（標準の「ＧＡＮ」技術の代わりに）拡張「ＧＡＮ」技術（ＵＭＡ拡張解法）が実装される移動局の場合も範疇に含むものである。
【００２６】
本発明の有利な側面によると、装置はさらに、
・上記移動体ネットワークに含まれる第２のアクセスネットワークを介した上記移動体ネットワークへのアクセスを可能とする、上記回線交換サービスのための第３のアクセス手段、及び
・上記移動体ネットワークに含まれる上記第２のアクセスネットワークを介した上記移動体ネットワークへのアクセスを可能とする、上記パケット交換サービスのための第４のアクセス手段
を備える。
【００２７】
第３のアクセス手段は「ＧＡＮ」技術に準拠し、第４のアクセス手段は「３ＧＰＰ−ＷＬＡＮインターワーキング」技術に準拠している。これらの技術は３ＧＰＰ標準において規定されている。
【００２８】
本発明の好ましい実施例では、装置はさらに、ＰＤＰストリームを上記第２のアクセス手段又は上記第４のアクセス手段に割り当てるための、上記パケット交換サービスのための分配手段を備える。
【００２９】
上記第２のアクセス手段は好適にも、
・各ＰＤＰストリームに対してＩＰｓｅｃトンネルの確立を管理し、
・各ＰＤＰストリームをＩＰｓｅｃトンネルにマッチングさせる
のための制御手段を備える。
【００３０】
本発明はまた、アクセスネットワークコントローラであって、無線通信装置が、
・回線交換サービスのために、ワイヤレスローカルエリアネットワークに含まれる第１のアクセスネットワークを介して移動ネットワークにアクセスすること、
・パケット交換サービスのために、上記第１のアクセスネットワークを介して上記移動体ネットワークにアクセスすること
を可能とするアクセスネットワークコントローラに関する。
【００３１】
本発明によると、上記アクセスネットワークコントローラは、
・「ＧＡＮ」技術に準拠するコントローラＧＡＮＣの回線交換サービスに関する部分に対応するユニットＧＡＮＣ−ＣＳ、
・パケット交換サービスのためのストリームを管理するための、３ＧＰＰ標準に規定される「３ＧＰＰ−ＷＬＡＮインターワーキング」技術に準拠するゲートウェイＴＴＧ、及び
・各ストリームを上記ユニットＧＡＮＣ−ＣＳ又は上記ゲートウェイＴＴＧに割り当てるための分配手段
を備える。
【００３２】
従って、本発明は、移動局が回線交換サービスにアクセスすることを可能とするアクセスネットワークコントローラＧＡＮＣ−ＣＳ及び移動局がパケット交換サービスにアクセスすることを可能とするゲートウェイＴＴＧが実装されているハイブリッドワイヤレスＩＰネットワークコントローラ（ハイブリッドＷＮＣ）の使用に基づくものである。
【００３３】
なお、本発明は好適にも、他を排するわけではないが例えばコアネットワークコントローラＭＳＣ、ノードＧＧＳＮ等の、２Ｇ／３Ｇコアネットワークの既存のインフラの再利用を可能とする。
【００３４】
さらに、重要なこととして、他を排するわけではないが例えば２Ｇ／３Ｇ無線ネットワークとＷＬＡＮネットワークの間の移動を提供する機能等の追加的な機能がゲートウェイＴＴＧによって実装される。
【００３５】
アクセスネットワークコントローラは好適にも、上記ユニットＧＡＮＣ−ＣＳ及び上記ゲートウェイＴＴＧのアップストリーム側であって無線通信装置と同じ側に配置される単一のセキュリティゲートウェイＳＥＧＷをさらに備える。
上記セキュリティゲートウェイＳＥＧＷは好ましくは上記分配手段を備える。
【００３６】
本発明の他の特徴及び効果が、例示的かつ限定的でない態様で与えられた好適な実施例の説明を読めば、そして添付図面から、より明確となる。
【発明を実施するための最良の形態】
【００３７】
説明の便宜のため、以降の内容は「ＧＡＮ」技術及び「Ｉ−ＷＬＡＮ」技術によって動作する無線通信装置のパケット交換サービスへのアクセス手段を説明することに終始する。そのような装置の回線交換サービスアクセス手段は３ＧＰＰ標準化文書TS43.318に詳しく記載されている。
【００３８】
図６は本発明による、ＧＥＲＡＮ／ＵＴＲＡＮ及びＩＰタイプのアクセスネットワークを介したパケット交換サービスへのアクセスのための「Ｉ−ＷＬＡＮ」技術の実装を可能とする無線通信装置７００（以下、移動局ともいう）の一実施例を模式的に示すものである。
【００３９】
本実施例では、本発明による移動局７００は、パケット交換サービス用の、
・本発明特有のＰＤＰ（Packet Data Protocol）ストリーム分配手段、
・「Ｉ−ＷＬＡＮ」技術に準拠し、ＩＰアクセスネットワークを介した２Ｇ／３Ｇ移動体ネットワークへのアクセスを可能とする本発明特有の第１のアクセス手段７０、及び
・「Ｉ−ＷＬＡＮ」技術に準拠し、ＧＥＲＡＮ／ＵＴＲＡＮアクセスネットワークを介した２Ｇ／３Ｇ移動体ネットワークへのアクセスを可能とする標準タイプの第２のアクセス手段８０
を含む。
【００４０】
以降の文章は４つのＰＤＰストリームで動作する移動局についての特定の場合を記載するものである。当業者であれば、これより多くの又は少ない数のＰＤＰストリームで動作する移動局についても本教示を容易に拡張できるはずである。
【００４１】
分配手段９０は、各々が「Ａｐｐ／ＩＰ」（Application / Internet Protocol）レイヤの例示に対応する入力ＰＤＰストリームＦ１、Ｆ２、Ｆ３及びＦ４を受信し、出力において各ＰＤＰストリームを２Ｇ／３Ｇ移動体ネットワークへの第１のアクセス手段７０又は第２のアクセス手段８０へ向ける。言い換えると、分配手段９０は、
・使用された無線アクセスが、例えば、ＷｉＦｉタイプ等のＷＬＡＮ無線アクセスである場合には、ＰＤＰストリームが第１のアクセス手段７０に割り当てられ、
・一方、使用された無線アクセスが、例えば、ＧＳＭタイプ等の２Ｇ／３Ｇ無線アクセスである場合には、ＰＤＰストリームが第２のアクセス手段８０に割り当てられる
ように、使用された無線アクセスに従ってデータトラフィック（ＰＤＰストリーム）のマッチング（マッピング）を管理する。
【００４２】
以降の説明で登場するように、ＰＤＰストリームがＷＬＡＮ無線アクセスを介して送受信される場合、各ＰＤＰストリームはＩＰｓｅｃトンネルに関連する。
【００４３】
実施例において、第１のアクセス手段７０は、各ＰＤＰストリームＦ１、Ｆ２、Ｆ３及びＦ４についてＩＰｓｅｃトンネルＴ１、Ｔ２、Ｔ３及びＴ４の設定を管理し、及び各ＰＤＰストリームをＩＰｓｅｃトンネルにマッチングさせるための制御手段７１を含む。
【００４４】
従って、本発明の移動局７００は、複数の無線アクセスを有するパケット交換サービスに特に良好に適合し、ＷＬＡＮのユーザが２Ｇ／３Ｇ移動体ネットワークの３ＧＰＰサービスに最良の利用可能な接続を用いてアクセスすることを可能とする。
【００４５】
図７を参照して、本発明の好適な実施例によるアクセスネットワークコントローラ９００を用いるＩＰアクセスネットワーク８００を説明する。
【００４６】
本実施例によると、アクセスネットワークコントローラ９００は、
・「ＧＡＮ」技術に準拠するコントローラＧＡＮＣ（３ＧＰＰ標準化文書TS43.318の段落4参照）の回線交換サービスに関する部分に対応するモジュールＧＡＮＣ−ＣＳ（９１０）、（このモジュールＧＡＮＣ−ＣＳ（９１０）によって回線交換サービス用のストリームの管理が可能となる。）
・「Ｉ−ＷＬＡＮ」技術に準拠し、パケット交換サービス用のストリームの管理を可能とするゲートウェイＴＴＧ（９２０）（３ＧＰＰ標準化文書TS23.234の付録Ｆ参照）、及び
・モジュールＧＡＮＣ−ＣＳ（９１０）及びゲートウェイＴＴＧ（９２０）のアップストリーム側であって移動局７００と同じ側に配置されたセキュリティゲートウェイＳＥＧＷ（９３０）
を含む。
【００４７】
本実施例では、セキュリティゲートウェイＳＥＧＷ（９３０）は、各ＰＤＰストリームをモジュールＧＡＮＣ−ＣＳ（９１０）又はゲートウェイＴＴＧ（９２０）に割り当てるための分配手段９４０を含む。
【００４８】
図７に示すように、パケット交換サービスについて、（上述の第１のアクセス手段７０を用いる）移動局７００はセキュリティゲートウェイＳＥＧＷ（９３０）とインターフェイスＷｕを介して通信する。セキュリティゲートウェイＴＴＧ（９２０）はノードＧＧＳＮ（９６０）にインターフェイスＧｎ´／Ｇｎを介して接続される。
【００４９】
図８を参照して、図７に示すパケット交換サービスへの効果的なアクセスのための、ネットワークにおける異なるエンティティ間でのメッセージ交換の一例を説明する。
【００５０】
既に述べたように、関係するエンティティは以下の、移動局７００、ネットワークＷＬＡＮ、セキュリティゲートウェイＳＥＧＷ（９３０）、ゲートウェイＴＴＧ（９２０）及びノードＧＧＳＮ（９６０）である。
【００５１】
移動局７００は、コアネットワークＣＮ内のＡＡＡ（Authentication, Authorization & Accounting）サーバ９５０（図７参照）に対して予め自身を認証しておくものとする。
【００５２】
まず、移動局７００はネットワークＷＬＡＮとの接続をセットアップする。
そして、移動局７００は、セキュリティゲートウェイＳＥＧＷ（９３０）のＩＰアドレスを取得するためにＤＮＳ（Domain Name System）リクエストを出す（８１０）。
【００５３】
セキュリティゲートウェイＳＥＧＷ（９３０）のＩＰアドレスを取得した後に（８２０）、移動局７００はエンドトゥエンドトンネル設定確立リクエスト（Ｅ２Ｅトンネル確立リクエスト）をセキュリティゲートウェイＳＥＧＷ（９３０）に送る。
【００５４】
上述のリクエスト（８２０）を受信した後、セキュリティゲートウェイＳＥＧＷ（９３０）は受信したリクエストをゲートウェイＴＴＧ（９２０）に転送する（８３０）。
【００５５】
そして、ゲートウェイＴＴＧ（９２０）はノードＧＧＳＮ（９６０）に通信セッションに関するコンテクスト情報作成のリクエスト（ＰＤＰコンテクスト作成リクエスト）を送る（８４０）。
【００５６】
ノードＧＧＳＮ（９６０）は上述のコンテクスト情報を作成し（８５０）、コンテクスト情報作成アクノリッジメント（ＰＤＰコンテクスト作成レスポンス）を返す。
【００５７】
ゲートウェイＴＴＧ（９２０）は上述のアクノリッジメントをセキュリティゲートウェイＳＥＧＷ（９３０）に転送する（８６０）。
【００５８】
最後に、セキュリティゲートウェイＳＥＧＷ（９３０）は移動局７００にエンドトゥエンドトンネルの確立を受け入れるメッセージ（Ｅ２Ｅトンネル確立アクノリッジメント）を送る（８７０）。
【図面の簡単な説明】
【００５９】
【図１】「ＧＡＮ」技術に準拠する通信ネットワークのアーキテクチャである。
【図２】回線交換サービス用の「ＧＡＮ」技術に準拠する移動局のアーキテクチャである。
【図３】パケット交換サービスのための図２の移動局のアーキテクチャである。
【図４】「Ｉ−ＷＬＡＮ」技術に準拠する通信ネットワークのアーキテクチャである。
【図５】パケット交換サービスのための「Ｉ−ＷＬＡＮ」技術に準拠する移動局のアーキテクチャである。
【図６】パケット交換サービスのための、本発明の好適な実施例による無線通信装置の図である。
【図７】パケット交換サービスのための、本発明によるアクセスネットワークコントローラの一実施例の図である。
【図８】図７に示すパケット交換サービスへのアクセスの場合における、ネットワークにおける異なるエンティティ間のメッセージの交換の一例を示す図である。
【図１】
2009525651.tif 000003
【図２】
2009525651.tif 000004
【図３】
2009525651.tif 000005
【図４】
2009525651.tif 000006
【図５】
2009525651.tif 000007
【図６】
2009525651.tif 000008
【図７】
2009525651.tif 000009
【図８】
2009525651.tif 000010
【国際調査報告】
2009525651.tif 000011
2009525651.tif 000012
2009525651.tif 000013
2009525651.tif 000014
2009525651.tif 000015
2009525651.tif 000016